(57)【特許請求の範囲】
【請求項１】
店舗内に設置されるＰＯＳレジスタであって、
各種操作を行うための複数の操作キーアイコンと、該複数の操作キーアイコンそれぞれの選択操作に応じて実行される処理内容とが対応付けされた操作対応処理情報を記憶する操作対応処理情報記憶手段と、
前記操作キーアイコンが表示パネル上に表示された操作手段と、
前記表示パネル上に表示されている操作キーアイコンの移動操作を受け付けるアイコン移動操作受付手段と、
該アイコン移動操作受付手段により何れかの操作キーアイコンを他の操作キーアイコンに重畳する移動操作が受け付けられたことに応じて、重畳された操作キーアイコンに対応付けされている処理内容が、当該重畳された操作キーアイコンに対応付けされている処理内容を実行したあと重畳した操作キーアイコンに対応付けされている処理内容を実行する処理内容となるように前記操作対応処理情報を更新する操作対応処理情報更新手段とを含み、
前記表示パネル上に表示された操作キーアイコンは、他の操作キーアイコンの重畳を許容するアイコンと、他の操作キーアイコンの重畳を許容しないアイコンとを含む
ことを特徴とするＰＯＳレジスタ。
【請求項２】
前記操作対応処理情報更新手段は、前記アイコン移動操作受付手段により複数の操作キーアイコンを他の操作キーアイコンに順次重畳する移動操作が受け付けられたことに応じて、重畳された操作キーアイコンに対応付けされている処理内容が、当該重畳された操作キーアイコンに対応付けされている処理内容を実行したあと重畳した複数の操作キーアイコンにそれぞれ対応付けされている処理内容を順次実行する処理内容となるように前記操作対応処理情報を更新する
請求項１記載のＰＯＳレジスタ。
【請求項３】
重畳を許容するアイコンには、選択操作に応じて実行される処理内容が対応付けされていないアイコンを含む
請求項１記載のＰＯＳレジスタ。
【請求項４】
前記表示パネルはタッチパネルであり、
前記アイコン移動操作受付手段は、ユーザのタッチ操作による操作キーアイコンの移動操作を受け付ける
請求項１から請求項３のうちいずれかに記載のＰＯＳレジスタ。
【請求項５】
店舗内に設置されるＰＯＳレジスタに動作制御させるためのＰＯＳレジスタ処理プログラムであって、
前記ＰＯＳレジスタに、
各種操作を行うための複数の操作キーアイコンと、該複数の操作キーアイコンそれぞれの選択操作に応じて実行される処理内容とが対応付けされた操作対応処理情報を記憶する操作対応処理情報記憶手段に記憶された操作キーアイコンが表示パネル上に表示された操作手段の表示パネル上に表示されている操作キーアイコンの移動操作を受け付けるアイコン移動操作受付処理と、
該アイコン移動操作受付処理において何れかの操作キーアイコンを他の操作キーアイコンに重畳する移動操作が受け付けられたことに応じて、重畳された操作キーアイコンに対応付けされている処理内容が、当該重畳された操作キーアイコンに対応付けされている処理内容を実行したあと重畳した操作キーアイコンに対応付けされている処理内容を実行する処理内容となるように前記操作対応処理情報を更新する操作対応処理情報更新処理とを実行させ、
前記表示パネル上に表示された操作キーアイコンは、他の操作キーアイコンの重畳を許容するアイコンと、他の操作キーアイコンの重畳を許容しないアイコンとを含む
ＰＯＳレジスタ処理プログラム。
【請求項６】
前記操作対応処理情報更新処理では、前記アイコン移動操作受付処理にて複数の操作キーアイコンを他の操作キーアイコンに順次重畳する移動操作が受け付けられたことに応じて、重畳された操作キーアイコンに対応付けされている処理内容が、当該重畳された操作キーアイコンに対応付けされている処理内容を実行したあと重畳した複数の操作キーアイコンにそれぞれ対応付けされている処理内容を順次実行する処理内容となるように前記操作対応処理情報を更新する処理を実行する
請求項５記載のＰＯＳレジスタ処理プログラム。
【請求項７】
重畳を許容するアイコンには、選択操作に応じて実行される処理内容が対応付けされていないアイコンを含む
請求項５記載のＰＯＳレジスタ処理プログラム。
【請求項８】
前記表示パネルはタッチパネルであり、
前記アイコン移動操作受付処理では、ユーザのタッチ操作による操作キーアイコンの移動操作を受け付ける処理を実行する
請求項５から請求項７のうちいずれかに記載のＰＯＳレジスタ処理プログラム。
【発明の詳細な説明】
【技術分野】
【０００１】
本発明は、店舗内に設置されるＰＯＳレジスタ、及びＰＯＳレジスタ処理プログラムに関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【先行技術文献】
【特許文献】
【０００３】
【特許文献１】特開２００５−１６５６２９号公報
【特許文献２】特開２００５−２２８０２１号公報
【発明の概要】
【発明が解決しようとする課題】
【０００４】
しかしながら、従来のＰＯＳシステムを構成するＰＯＳレジスタ（または、ＰＯＳ装置）では、ＰＯＳレジスタのキーボード配列を替える場合（すなわち、キーボードを構成する操作キーのカスタマイズをする場合）に、ユーザ側での設定（配列変更）ができないため、自由度がなく、配列を替えるためには大きなコストがかかるという問題があった。
【０００５】
また、ＰＯＳレジスタが設置される店舗によっては、頻繁に使用する操作キーと、ほとんど使わない操作キーとがでてくる場合があるが、このような場合にも操作キーをカスタマイズできないため、ユーザが自己の状況に応じてＰＯＳレジスタの操作性を向上させることができず、利便性が悪いという問題があった。
【０００６】
本発明は、上述した問題を解消し、ＰＯＳレジスタの操作キーをカスタマイズできるようになり、ＰＯＳレジスタの利便性を向上させることができるようにすることを目的とする。
【課題を解決するための手段】
【０００７】
本発明のＰＯＳレジスタは、店舗内に設置されるＰＯＳレジスタであって、各種操作を行うための複数の操作キーアイコンと、該複数の操作キーアイコンそれぞれの選択操作に応じて実行される処理内容とが対応付けされた操作対応処理情報を記憶する操作対応処理情報記憶手段と、前記操作キーアイコンが表示パネル上に表示された操作手段と、前記表示パネル上に表示されている操作キーアイコンの移動操作を受け付けるアイコン移動操作受付手段と、該アイコン移動操作受付手段により何れかの操作キーアイコンを他の操作キーアイコンに重畳する移動操作が受け付けられたことに応じて、重畳された操作キーアイコンに対応付けされている処理内容が、当該重畳された操作キーアイコンに対応付けされている処理内容を実行したあと重畳した操作キーアイコンに対応付けされている処理内容を実行する処理内容となるように前記操作対応処理情報を更新する操作対応処理情報更新手段とを含み、前記表示パネル上に表示された操作キーアイコンは、他の操作キーアイコンの重畳を許容するアイコンと、他の操作キーアイコンの重畳を許容しないアイコンとを含むことを特徴とする。
【０００８】
上記の構成としたことで、ＰＯＳレジスタの操作キーをカスタマイズできるようになり、ＰＯＳレジスタの利便性を向上させることができるようになる。
【０００９】
前記操作対応処理情報更新手段は、前記アイコン移動操作受付手段により複数の操作キーアイコンを他の操作キーアイコンに順次重畳する移動操作が受け付けられたことに応じて、重畳された操作キーアイコンに対応付けされている処理内容が、当該重畳された操作キーアイコンに対応付けされている処理内容を実行したあと重畳した複数の操作キーアイコンにそれぞれ対応付けされている処理内容を順次実行する処理内容となるように前記操作対応処理情報を更新する構成とされていてもよい。
【００１１】
重畳を許容するアイコンには、選択操作に応じて実行される処理内容が対応付けされていないアイコンを含む構成とされていてもよい。
【００１２】
前記表示パネルはタッチパネルであり、前記アイコン移動操作受付手段は、ユーザのタッチ操作による操作キーアイコンの移動操作を受け付ける構成とされていてもよい。
【００１３】
また、本発明のＰＯＳレジスタ処理プログラムは、店舗内に設置されるＰＯＳレジスタに動作制御させるためのＰＯＳレジスタ処理プログラムであって、前記ＰＯＳレジスタに、各種操作を行うための複数の操作キーアイコンと、該複数の操作キーアイコンそれぞれの選択操作に応じて実行される処理内容とが対応付けされた操作対応処理情報を記憶する操作対応処理情報記憶手段に記憶された操作キーアイコンが表示パネル上に表示された操作手段の表示パネル上に表示されている操作キーアイコンの移動操作を受け付けるアイコン移動操作受付処理と、該アイコン移動操作受付処理において何れかの操作キーアイコンを他の操作キーアイコンに重畳する移動操作が受け付けられたことに応じて、重畳された操作キーアイコンに対応付けされている処理内容が、当該重畳された操作キーアイコンに対応付けされている処理内容を実行したあと重畳した操作キーアイコンに対応付けされている処理内容を実行する処理内容となるように前記操作対応処理情報を更新する操作対応処理情報更新処理とを実行させ、前記表示パネル上に表示された操作キーアイコンは、他の操作キーアイコンの重畳を許容するアイコンと、他の操作キーアイコンの重畳を許容しないアイコンとを含むことを特徴とする。
【発明の効果】
【００１４】
本発明によれば、ＰＯＳレジスタの操作キーをカスタマイズできるようになり、ＰＯＳレジスタの利便性を向上させることができるようになる。
【図面の簡単な説明】
【００１５】
【図１】本発明の一実施の形態におけるＰＯＳレジスタの構成の例を示すブロック図である。
【図２】操作対応処理情報の格納状態の例を示す説明図である。
【図３】操作対応処理情報更新処理の例を示すフローチャートである。
【図４】表示パネル上に表示された複数の操作キーアイコンの状態の例を示す説明図である。
【図５】移動操作の例について説明するための説明図である。
【図６】操作対応処理情報の格納状態の他の例を示す説明図である。
【図７】移動操作の他の例について説明するための説明図である。
【図８】移動操作の他の例について説明するための説明図である。
【発明を実施するための形態】
【００１６】
以下、本発明の一実施の形態について図面を参照して説明する。
【００１７】
図１は、本発明の一実施の形態に係るＰＯＳレジスタ１００の構成の例を示すブロック図である。図１に示すように、ＰＯＳレジスタ１００は、制御部１０と、操作部２０と、表示部３０と、記憶部５０とを含む。
【００１８】
制御部１０は、例えばＣＰＵにより構成され、記憶部２０に記憶されたコンピュータプログラム（ＰＯＳレジスタ１００に動作制御させるためのコンピュータプログラム。ＰＯＳレジスタ処理プログラムを含む。）に従い、ＰＯＳレジスタ１００を構成する各要素を統括制御し、一般的なＰＯＳレジスタとしての機能を実現するための各種機能を有する。
【００１９】
図１に示すように、制御部１０は、ＰＯＳ演算処理部１１と、アイコン移動操作受付処理部１２と、操作対応処理情報更新処理部１３とを含む。
【００２０】
ＰＯＳ演算処理部１１は、ＰＯＳ演算に必要な各種処理を実行するための機能を有する。ＰＯＳ演算については、一般的はＰＯＳレジスタが備える公知の技術を用いるので、ここでの詳細な説明は省略する。
【００２１】
アイコン移動操作受付処理部１２は、操作部２０の表示パネル上に表示されている操作キーアイコンの移動操作を受け付ける処理を行う。本例においては、操作部２０の表示パネルはタッチパネルであり、アイコン移動操作受付処理部１２は、ユーザのタッチ操作による操作キーアイコンの移動操作を受け付ける。また、本例におけるアイコン移動操作受付処理部１２は、受け付けた操作キーアイコンの移動操作を示す情報を操作部２０と表示部３０とに送信する。操作部２０と表示部３０は、アイコン移動操作受付処理部１２から受信した情報に基づいて、表示パネルに表示するキーボード画像（例えば、図５参照。）の変更などを行う。
【００２２】
操作対応処理情報更新処理部１３は、アイコン移動操作受付処理部１２により何れかの操作キーアイコンを他の操作キーアイコンに重畳する移動操作が受け付けられたことに応じて、後述する操作対応処理情報テーブル５１に格納されている操作対応処理情報を更新する処理を行う。本例においては、操作対応処理情報更新処理部１３は、重畳された操作キーアイコンに対応付けされている処理内容が、重畳された操作キーアイコンに対応付けされている処理内容を実行したあと重畳した操作キーアイコンに対応付けされている処理内容を実行する処理内容となるように、後述する操作対応処理情報を更新する処理を行う。制御部１０が実行する処理については、後で詳しく説明する（図３参照）。
【００２３】
操作部２０は、ユーザから各種操作を受け付けるための機能を有する。本例においては、操作部２０は、操作キーアイコンが表示パネル上に表示されたタッチパネルにより構成される。
【００２４】
表示部３０は、例えばモニタなどにより構成され、各種情報をユーザが認識可能な形態で表示する。本例においては、表示部３０は、操作部２０を構成するタッチパネルに、各種情報を表示する。
【００２５】
記憶部５０は、例えば半導体記憶装置や磁気記憶装置などで構成され、ＰＯＳレジスタ１００が使用する各種コンピュータプログラムや、ＰＯＳデータなどＰＯＳレジスタとして機能するために必要な各種情報を記憶する記憶媒体である。図１に示すように、本例においては、記憶部５０は、操作対応処理情報テーブル５１を含む。
【００２６】
操作対応処理情報テーブル５１は、操作対応処理情報を管理する情報管理テーブルである。ここで、「操作対応処理情報」とは、各種操作を行うための複数の操作キーアイコンと、複数の操作キーアイコンそれぞれの選択操作に応じて実行される処理内容とが対応付けされた情報である。
【００２７】
図２は、操作対応処理情報テーブル５１における操作対応処理情報の格納状態の例を示す説明図である。図２に示すように、本例における操作対応処理情報は、複数の操作キー毎に対応する処理内容を含む。
【００２８】
また、本例においては、操作キーには、特定の処理内容（例えば、割引処理やポイント計算処理など）が対応付けされた「Ｆキー」と、対応付けされる処理内容の編集が可能な「Ｃキー」とが含まれる。なお、本例においては、Ｃキーは、初期状態においては、選択操作に応じて実行される処理内容が対応付けされていないこととする。
【００２９】
次に、本例のＰＯＳレジスタ１００の動作について説明する。
【００３０】
図３は、本例のＰＯＳレジスタ１００が実行する操作対応処理情報更新処理の例を示すフローチャートである。ここでは、ＰＯＳレジスタ１００が、ＰＯＳレジスタ１００のユーザＡによる操作に応じて操作対応処理情報を更新する場合を例に説明することとする。なお、本発明に特に関わる処理以外は、説明を省略している場合があるものとする。
【００３１】
操作対応処理情報更新処理は、例えば、ＰＯＳレジスタ１００が、ユーザＡから、操作対応処理情報更新処理を開始するための所定の操作（例えば、操作部２０が備える操作キーの長押し操作など）を受け付けたことにより開始される。
【００３２】
図４は、操作対応処理情報更新処理が開始されたときの、操作部２０の表示パネル１０１上に表示された複数の操作キーアイコンの状態の例を示す説明図である。図４に示すように、本例における表示パネル１０１には、Ｃキーアイコン（以下、「Ｃキー」と呼ぶ。）を表示するＣキー表示領域１１０と、Ｆキーアイコン（以下、「Ｆキー」と呼ぶ。）を表示するＦキー表示領域１２０と、テンキーアイコン（以下、「テンキー」と呼ぶ。）を表示するテンキー表示領域１３０とが備えられている。
【００３３】
操作対応処理情報更新処理において、先ず、制御部１０は、ユーザＡによる、Ｆキーの選択操作を受け付けたか否かを判定する（ステップＳ１０１）。なお、本例においては、制御部１０は、ユーザＡの指Ｐにより、Ｆキー表示領域１２０に表示されたＦキーの表示位置が押下されたことにより、押下位置に表示されたＦキーの選択操作を受け付けたものと判定する。
【００３４】
ここで、Ｆキーの選択操作を受け付けたと判定すると（ステップＳ１０１のＹ）、制御部１０は、アイコン移動操作受付処理部１２により、選択されたＦキーをＣキーに重畳する移動操作を受け付けたか否か判定する（ステップＳ１０２）。ここで、選択されたＦキーをＣキーに重畳する移動操作を受け付けていないと判定すると（ステップＳ１０２のＮ）、制御部１０は、キー選択を解除して（ステップＳ１０３）、ステップＳ１０１の処理に移行する。
【００３５】
一方、選択されたＦキーをＣキーに重畳する移動操作を受け付けたと判定すると（ステップＳ１０２のＹ）、制御部１０は、後述するステップＳ１０４の処理に移行する。
【００３６】
図５は、本例における移動操作の例について説明するための説明図である。以下、適宜図５を参照して説明を行う。
【００３７】
図５（Ａ）に示すように、選択されたＦ１キー１２１をＣ１キー１１１に重畳する移動操作（すなわち、操作部の押下位置を、Ｆ１キー１２１の位置からＣ１キー１１１の位置に移動させる操作）を受け付けると、制御部１０は、選択されたＦキーをＣキーに重畳する移動操作を受け付けたものと判定し（ステップＳ１０２のＹ）、Ｆ１キー１２１が重畳されたＣ１キー１１１に対応付けされているＦキーがあるか否かを判定する（ステップＳ１０４）。
【００３８】
ここでは、制御部１０は、Ｃ１キー１１１に対応付けされているＦキーがないと判定し（ステップＳ１０４のＮ）、Ｆ１キー１２１が重畳されたＣ１キー１１１の処理内容が、重畳したＦ１キー１２１に対応する処理内容「割引」となるように、操作対応処理情報を更新して（ステップＳ１０５）、ステップＳ１０１の処理に移行する。
【００３９】
そして、図５（Ｂ）に示すように、ユーザＡによるＦ２キー１２２の選択を受け付け（ステップＳ１０１のＹ）、Ｆ２キー１２２をＦ１キー１２１が対応付けされたＣ１キー１１１に重畳する移動操作を受け付け（ステップＳ１０２のＹ）、Ｆ２キー１２２が重畳されたＣ１キー１１１に対応付けされているＦ１キー１２１があると判定すると（ステップＳ１０４のＹ）、制御部１０は、ステップＳ１０６の処理に移行する。
【００４０】
ステップＳ１０６の処理として、制御部１０は、重畳したＦ２キー１２２と重畳されたＣ１キー１１１に対応付けされているＦ１キー１２１との重畳が許容されるか否かを判定する（ステップＳ１０６）。本例においては、記憶部５０に、予め重畳が許容される処理内容を示す情報（重畳判定情報）が記憶されており、制御部１０は、重畳判定情報と操作対応処理情報テーブル５１とを対比して、重畳が許容されるか否かを判定する。なお、重畳判定情報には、重畳を許容する順番を限定するものが含まれていてもよい。
【００４１】
ここで、重畳が許容されないと判定すると（ステップＳ１０６のＮ）、制御部１０は、ステップＳ１０３の処理に移行して、Ｆ２キー１２２の選択を解除する。なお、このとき制御部１０が、Ｃ１キー１１１とＦ１キー１２１との対応付けを解除する構成としてもよい。
【００４２】
一方、重畳が許容されると判定すると（ステップＳ１０６のＹ）、制御部１０は、他のＦキー（本例においては、Ｆ２キー１２２）が重畳されたＣ１キー１１１の選択操作に応じて実行される処理内容が、重畳されたＣ１キー１１１に対応する処理内容（本例においては、Ｆ１キー１２１に対応付けされている処理内容）を実行したあとに、重畳したＦ２キー１２２に対応付けされている処理内容を実行する処理内容となるように、操作対応処理情報を更新する（ステップＳ１０７）。このとき、操作部２０の表示パネル１０１には、図５（Ｃ）に示すように、Ｆ１キー１２１とＦ２キー１２２とで処理する操作がまとめられた１つのＣ１キー１１１が設けられることとなる。
【００４３】
図６は、このときの操作対応処理情報の格納状態の例を示す説明図である。図６に示すように、Ｃ１キー１１１に対応する処理内容として、Ｆ1キーの処理内容である「割引」を実行したあとに、Ｆ２キーの処理内容である「ポイント計算」が実行する処理内容が設定される。
【００４４】
以上に説明したように、上述した一実施の形態では、店舗内に設置されるＰＯＳレジスタ１００が、各種操作を行うための複数の操作キーアイコン（例えば、ＦキーアイコンとＣキーアイコン）と、複数の操作キーアイコンそれぞれの選択操作に応じて実行される処理内容（例えば、割引処理やポイント計算処理）とが対応付けされた操作対応処理情報を記憶する操作対応処理情報テーブル５１と、操作キーアイコンが表示パネル１０１上に表示された操作部２０とを備え、表示パネル１０１上に表示されている操作キーアイコン（例えば、Ｆ１キー１２１）の移動操作を受け付け、何れかの操作キーアイコン（例えば、Ｆ２キー１２２）を他の操作キーアイコン（例えば、Ｆ１キー１２１が対応付けされたＣ１キー１１１）に重畳する移動操作を受け付けたことに応じて、重畳された操作キーアイコンに対応付けされている処理内容（例えば、Ｃ１キー１１１に対応付けされた処理内容）が、重畳された操作キーアイコンに対応付けされている処理内容（例えば、Ｃ１キー１１１に対応付けされたＦ１キー１２１に対応付けされた処理内容「割引」）を実行したあと重畳した操作キーアイコンに対応付けされている処理内容（例えば、Ｆ２キー１２２に対応付けされた処理内容「ポイント計算」）を実行する処理内容となるように操作対応処理情報を更新する構成としているので、ＰＯＳレジスタの操作キーをカスタマイズできるようになり、ＰＯＳレジスタの利便性を向上させることができるようになる。
【００４５】
すなわち、複数の操作を一つのキーで連続して実行できるようになるので、ＰＯＳレジスタの操作性を向上させることができるようになり、ＰＯＳレジスタの利便性を向上させることができるようになる。
【００４６】
なお、上述した実施の形態では特に言及していないが、ＰＯＳレジスタ１００が、Ｃキーに３つ以上のＦキーを設定可能な構成としてもよい、また、Ｃキー毎に、設定可能なＦキーの数の上限を設定する構成としてもよい。
【００４７】
なお、上述した実施の形態では、処理内容が対応付けされていないＣキーアイコンに処理内容が対応付けされているＦキーアイコンを重畳する場合について説明したが、ＰＯＳレジスタ１００が、Ｆキーアイコンに他のＦキーアイコンを重畳する移動操作を受け付ける構成としてもよい。
【００４８】
この場合、ＰＯＳレジスタ１００が、複数の操作キーアイコンを他の操作キーアイコンに順次重畳する移動操作を受け付けたことに応じて、重畳された操作キーアイコンに対応付けされている処理内容が、重畳された操作キーアイコンに対応付けされている処理内容を実行したあと重畳した複数の操作キーアイコンにそれぞれ対応付けされている処理内容を順次実行する処理内容となるように操作対応処理情報を更新する構成としてもよい。
【００４９】
図７は、この場合にＰＯＳレジスタ１００が受け付ける移動操作の例について説明するための説明図である。図７に示すように、ＰＯＳレジスタ１００が、Ｆ１キーをＦ２キーン重畳する操作を受け付け（図７（Ａ）参照）、Ｆ１キーが重畳されたＦ２キーが選択せれた場合に実行される処理内容を変更する。次いで、ＰＯＳレジスタ１００が、Ｆ１キーが重畳されたＦ２キーをＦ３キーに重畳する操作を受け付け（図７（Ｂ）参照）、Ｆ２キーが重畳されたＦ３キーンが選択された場合に実行される処理内容を変更する。
【００５０】
なお、この場合、ＰＯＳレジスタ１００が、図７（Ｃ）に示すように、他の操作キーに重畳した操作キー（本例においては、Ｆ１キーとＦ２キー）を表示パネル１０１から消去するように操作部２０と表示部３０とに指示する構成としてもよい。
【００５１】
このような構成とすることにより、３つ以上のキーの機能を一つのキーにまとめることができ、１回のキー操作で連続的な処理を実行できるようになる。
【００５２】
また、上述した実施の形態では、表示パネル１０１上に表示された操作キーアイコン（例えば、Ｆキー）には、他の操作キーアイコンの重畳を許容するアイコンと、他の操作キーアイコンの重畳を許容しないアイコンとを含む構成としているので、キーの統合を制限することができるようになる。
【００５３】
また、上述した実施の形態では、重畳を許容するアイコンには、選択操作に応じて実行される処理内容が対応付けされていないアイコン（例えば、Ｃキーアイコン）を含む構成としているので、空のキーに特定の連続処理を設定することができるようになる。
【００５４】
また、上述した実施の形態では、表示パネル１０１はタッチパネルであり、ユーザＡのタッチ操作による操作キーアイコンの移動操作（例えば、タッチパネルの押下位置を、Ｆ１キー１２１の表示位置からＣ１キー１１１の表示位置に移動する操作。）を受け付ける構成としているので、ＰＯＳレジスタの操作性を向上させることができるようになる。なお、上述した実施の形態では特に言及していないが、ＰＯＳレジスタ１００が、操作キーを重畳する他の操作キーの表示位置にてユーザＡによるドロップ操作（すなわち、表示パネル１０１の押下状態を解除する操作）を受け付けた場合に、最初の押下位置に表示された操作キー（すなわち、ドラッグ操作の対象となる操作キー）を他の操作機キーに重畳する移動操作を受け付けたものと判定する構成としてもよい。
【００５５】
なお、ＰＯＳレジスタ１００が受け付ける移動操作は、重畳される操作キーと重畳する操作キーとが特定可能であればよく、上述した実施の形態に限定されない。
【００５６】
図８は、移動操作の他の例について説明するための説明図である。図８に示すように、ＰＯＳレジスタ１００が、Ｆ３キーをＦ４キーに重畳する移動操作を受け付けたあと（図８（Ａ）参照）、連続して、Ｆ３キーが重畳されたＦ４キーをＣ３キーに重畳する操作を受け付ける構成としてもよい（図８（Ｂ）参照）。なお、この場合、ＰＯＳレジスタ１００が、図８（Ｃ）に示すように、他の操作キーに重畳された操作キー（本例においては、Ｆ３キーとＦ４キー）を表示パネル１０１から消去するように操作部２０と表示部３０とに指示する構成としてもよい。
【００５７】
また、図示しないが、ＰＯＳレジスタ１００が、操作対応処理情報の更新操作を受け付ける状態にあるときに、タッチ操作（操作キーの押下操作）を受け付けたときに、タッチ操作を受けつけた操作キーに対応する処理内容を所定の条件を満たす他の操作キー（例えば、処理内容が対応付けされていない操作キー）に割り当て、続いてタッチ操作を受け付けた操作キーに対応する処理内容を、順次所定の条件を満たす他の操作キーに割り当てていく構成としてもよい。
【００５８】
なお、上述した実施の形態では、ＰＯＳレジスタ１００が、移動操作として、ドラッグ操作を受け付ける場合について説明したが、ＰＯＳレジスタ１００が、操作キー毎のタッチ操作を受け付けることにより、操作キーアイコンを他の操作キーアイコンに重畳する移動操作を受け付ける構成としてもよい。すなわち、例えば図５に示す場合において、ＰＯＳレジスタ１００が、Ｆ１キー１２１のタッチ操作を受け付けたあと、Ｃ１キー１１１のタッチ操作を受け付けた場合に、Ｃ１キー１１１にＦ１キーを重畳する移動操作を受け付けたものと判定する構成としてもよい。この場合、例えば、ＰＯＳレジスタ１００が、Ｃ１キー１１１にＦ１キー１２１を重畳したあと、Ｆ２キー１２２のタッチ操作を受け付け、再度Ｃ１キー１１１のタッチ操作を受け付けた場合に、Ｆ１キー１２１が重畳されたＣ１キー１１１にＦ２キー１２２をさらに重畳させる移動操作を受け付けたものと判定する構成とすればよい。
【００５９】
なお、上述した実施の形態では特に言及していないが、ＰＯＳレジスタ１００は、自己が備える記憶媒体に格納されている処理プログラム（操作対応処理情報更新処理プログラム）に従って、上述した各種の処理（図３など参照）を実行する。
【産業上の利用可能性】
【００６０】
本発明によれば、ＰＯＳレジスタの操作キーをカスタマイズできるようになり、ＰＯＳレジスタの利便性を向上させるのに有用である。
【符号の説明】
【００６１】
１０                            制御部
１１                            ＰＯＳ演算処理部
１２                            アイコン移動操作受付処理部
１３                            操作対応処理情報更新処理部
２０                            操作部
３０                            表示部
５０                            記憶部
５１                            操作対応処理情報テーブル
１００                          ＰＯＳレジスタ
【図１】
0005706206.tif 000002
【図２】
0005706206.tif 000003
【図３】
0005706206.tif 000004
【図４】
0005706206.tif 000005
【図５】
0005706206.tif 000006
【図６】
0005706206.tif 000007
【図７】
0005706206.tif 000008
【図８】
0005706206.tif 000009